(57)【特許請求の範囲】
【請求項１】
ミシンのベッド部上の被縫製物を切断する回転刃を有するミシンの被縫製物切断装置であって、
ミシン本体に固定して取り付けられる固定枠と、
固定枠に連結手段を介して取り付けられた可動枠とからなり、
前記可動枠は、これの一方側に設けられた伝達軸と、これの他方側に設けられた回転軸と、伝達軸の回転を回転軸に伝達する伝達手段と、回転軸に固定された前記回転刃とを有し、
前記固定枠には、駆動手段によって駆動する駆動軸と、駆動軸の動力を前記伝達軸に伝達する動力伝達部が設けられており、
前記連結手段は、回転刃の面がベッド部の長手方向側に向く回転刃の切断位置から、回転刃の面がベッド部の長手方向と略直交する方向側に傾斜する回転刃の交換位置に移動できるように、固定枠に可動枠を回動可能に連結していることを特徴とするミシンの被縫製物切断装置。
【請求項２】
前記連結手段は、ベッド部と略平行方向で回動するように固定枠に回動可能に取り付けられた連結体であって、
当該連結体には、前記可動枠の一方側が回動可能に取り付けられ、可動枠の他方側の回転刃が上下方向に移動できるように構成されていることを特徴とする請求項１記載のミシンの被縫製物切断装置。
【請求項３】
前記動力伝達部は、第１の連結軸と、第１の連結軸に屈曲自在に連結された第２の連結軸とからなり、第１の連結軸が駆動軸に連結され、第２の連結軸が伝達軸に連結され、屈曲部が連結手段の回動中心と略一致するように構成されていることを特徴とする請求項１又は２記載のミシンの被縫製物切断装置。
【請求項４】
前記連結手段には、回転刃を駆動する駆動手段をオン・オフするスイッチ手段が設けられており、
スイッチ手段は、回転刃が切断位置にあるとオンとなり、回転刃が非切断位置にあるとオフとなることを特徴とする請求項１、２又は３記載のミシンの被縫製物切断装置。
【請求項５】
前記連結手段は、回転刃を切断位置で位置決めする第１の位置決め手段と、回転刃を交換位置で位置決めする第２の位置決め手段と、回転刃を駆動する駆動手段をオン・オフするスイッチ手段と有し、
前記スイッチ手段は、第１の位置決め手段に設けられ、第１の位置決め手段が回転刃を位置決めするとオンとなり、第１の位置決め手段が回転刃を位置決めしていないとオフとなるように構成されていることを特徴とする請求項１、２又は３記載のミシンの被縫製物切断装置。
【請求項６】
前記連結手段は、回転刃の切断位置から回転刃の交換位置に移動でき、さらに回転刃の交換位置から回転刃の待機位置に移動できるように、固定枠に可動枠を回動可能に連結していることを特徴とする請求項１乃至５のいずれか１項に記載のミシンの被縫製物切断装置。
【発明の詳細な説明】
【技術分野】
【０００１】
本願発明は、ミシンに取り付けられ、布、皮革等の被縫製物を切断することができる被縫製物切断装置に関する。
【背景技術】
【０００２】
従来、ミシンの被縫製物切断装置は、ミシン本体に固定して取り付けられる固定枠と、固定枠に可動可能に取り付けられた可動枠とを有する。可動枠には、回転刃をネジにより取り付けた回転軸が回動可能に設けられている。固定枠には、動力伝達部を介して前記回転軸を駆動する駆動手段と、回転刃を被縫製物の非切断位置から被縫製物の切断位置に移動させるように可動枠を作動させる作動手段が設けられている。回転刃と協働して被縫製物を切断する固定刃は、可動枠に設けられているものや（例えば特許文献１）、ミシン本体を固定するベッド部側に設けられた針板に形成されているものが存在する（例えば特許文献２）。回転刃は、略中心に取付孔が形成されており、この取付孔を回転軸に嵌め込み、回転軸の端部にネジを螺着して、回転軸に取り付けられる。
【先行技術文献】
【特許文献】
【０００３】
【特許文献１】特開２００７−３７６５０号公報
【特許文献２】特開２０１２−６５７９６号公報
【発明の概要】
【発明が解決しようとする課題】
【０００４】
上記したミシンの被縫製物切断装置は、回転刃を交換する場合には、回転軸のネジを外し、回転刃を回転軸の軸方向にスライドさせて、回転軸から回転刃を取り外す。新しい回転刃は、取付孔を回転軸に嵌め込み、回転軸の端部にネジを螺着して、回転軸に取り付ける。このようにして、ミシンの被縫製物切断装置は、回転刃の交換を行うことができる。このミシンの被縫製物切断装置の回転刃は、ミシン針の近傍に配置されており、ミシン針の縫製により形成される縫い目に平行に被縫製物の切断を行う一方、このミシン針、布押さえ、上送り等の存在により、回転軸から取り外して行う交換が困難であるという問題点があった。従って、回転刃の交換は、ミシン本体からミシン針、布押さえ、上送り等を取り外すか、被縫製物切断装置そのものを取り外して行わなければならず、不便であり、誰でもが簡単に行うことができないという問題点があった。また、ミシンの被縫製物切断装置は、縫製と同時に切断でき、さらに非縫製時にも切断でき、逆に、縫製時に切断しない状態にすることができる。この縫製時に切断しない場合には、ミシン針の落下地点に回転刃が近接しているため、この回転刃の存在が邪魔になり、縫製作業がやり難くなるという問題点があった。
【０００５】
本願発明は、上記問題点に鑑み案出したものであって、回転刃をミシン針から離れた位置に移動させることができ、回転刃の交換スペースを確保でき、誰でも簡単に回転刃の交換を行うことができるミシンの被縫製物切断装置を提供することを第１の目的とする。また、本願発明は、上記目的に加え、切断位置では回転刃が回転可能となり、切断位置以外では回転刃が回転不能となり、安全性を高めたミシンの被縫製物切断装置を提供することを第２の目的とする。さらに、本願発明は、上記目的に加え、被縫製物の切断作業を伴わないミシン針による縫製作業時に、回転刃をミシン針から離れた位置に移動させて、縫製作業を容易にするミシンの被縫製物切断装置を提供することを第３の目的とする。
【課題を解決するための手段】
【０００６】
本願請求項１記載のミシンの被縫製物切断装置は、上記第１の目的を達成するため、ミシンのベッド部上の被縫製物を切断する回転刃を有するミシンの被縫製物切断装置であって、ミシン本体に固定して取り付けられる固定枠と、固定枠に連結手段を介して取り付けられた可動枠とからなり、前記可動枠は、これの一方側に設けられた伝達軸と、これの他方側に設けられた回転軸と、伝達軸の回転を回転軸に伝達する伝達手段と、回転軸に固定された前記回転刃とを有し、前記固定枠には、駆動手段によって駆動する駆動軸と、駆動軸の動力を前記伝達軸に伝達する動力伝達部が設けられており、前記連結手段は、回転刃の面がベッド部の長手方向側に向く回転刃の切断位置から、回転刃の面がベッド部の長手方向と略直交する方向側に傾斜する回転刃の交換位置に移動できるように、固定枠に可動枠を回動可能に連結していることを特徴とする。
【０００７】
本願請求項２記載のミシンの被縫製物切断装置は、上記第１の目的を達成するため、前記連結手段は、ベッド部と略平行方向で回動するように固定枠に回動可能に取り付けられた連結体であって、当該連結体には、前記可動枠の一方側が回動可能に取り付けられ、可動枠の他方側の回転刃が上下方向に移動できるように構成されていることを特徴とする。
【０００８】
本願請求項３記載のミシンの被縫製物切断装置は、上記第１の目的を達成するため、前記動力伝達部は、第１の連結軸と、第１の連結軸に屈曲自在に連結された第２の連結軸とからなり、第１の連結軸が駆動軸に連結され、第２の連結軸が伝達軸に連結され、屈曲部が連結手段の回動中心と略一致するように構成されていることを特徴とする。
【０００９】
本願請求項４記載のミシンの被縫製物切断装置は、上記第２の目的を達成するため、前記連結手段には、回転刃を駆動する駆動手段をオン・オフするスイッチ手段が設けられており、スイッチ手段は、回転刃が切断位置にあるとオンとなり、回転刃が非切断位置にあるとオフとなることを特徴とする。
【００１０】
本願請求項５記載のミシンの被縫製物切断装置は、上記第２の目的を達成するため、前記連結手段は、回転刃を切断位置で位置決めする第１の位置決め手段と、回転刃を交換位置で位置決めする第２の位置決め手段と、回転刃を駆動する駆動手段をオン・オフするスイッチ手段と有し、前記スイッチ手段は、第１の位置決め手段に設けられ、第１の位置決め手段が回転刃を位置決めするとオンとなり、第１の位置決め手段が回転刃を位置決めしていないとオフとなるように構成されている。
【００１１】
本願請求項６記載のミシンの被縫製物切断装置は、上記第３の目的を達成するため、前記連結手段は、回転刃の切断位置から回転刃の交換位置に移動でき、さらに回転刃の交換位置から回転刃の待機位置に移動できるように、固定枠に可動枠を回動可能に連結していることを特徴とする。
【発明の効果】
【００１２】
本願発明に係るミシンの被縫製物切断装置は、ミシンのベッド部上の被縫製物を切断する回転刃を有する。ミシンの被縫製物切断装置は、ミシン本体に固定して取り付けられる固定枠と、固定枠に連結手段を介して取り付けられた可動枠とからなる。前記可動枠は、これの一方側に設けられた伝達軸と、これの他方側に設けられた回転軸と、伝達軸の回転を回転軸に伝達する伝達手段と、回転軸に固定された前記回転刃とを有する。前記固定枠には、駆動手段によって駆動する駆動軸と、駆動軸の動力を前記伝達軸に伝達する動力伝達部が設けられている。前記連結手段は、回転刃の面がベッド部の長手方向側に向く回転刃の切断位置から、回転刃の面がベッド部の長手方向と略直交する方向側に傾斜する回転刃の交換位置に移動できるように、固定枠に可動枠を回動可能に連結している。
【００１３】
本願発明に係るミシンの被縫製物切断装置は、駆動手段を作動すると、固定枠側の駆動軸が駆動し、駆動軸の動力が動力伝達部を介して、可動枠側の伝達軸に伝達され、伝達軸が回転する。伝達軸が回転すると伝達手段によって回転軸が回転し、回転軸に固定された回転刃も回転する。回転刃は、可動枠に設けられた固定刃又はミシンのベッド部側に形成された固定刃と協働してベッド部上の被縫製物を切断する。駆動手段を停止すると、伝達軸、回転軸及び回転刃の回転が止まる。回転刃は、ミシン針の近傍に位置しており、ミシン針の縫製方向と略直交する方向側（ベッド部の長手方向側）に回転刃の面が向いている。切断位置にある回転刃は、回転刃の面がミシン針側に向いており、回転軸から抜き出して取り外そうとしても、回転刃の面がミシン針、布押え、上送り等に接触し、回転軸から外すことができない。
【００１４】
本願発明に係るミシンの被縫製物切断装置は、連結手段により、固定枠に対して可動枠を回動すると、回転刃が切断位置から交換位置に移動し、回転刃の面がベッド部の長手方向と略直交する方向側に傾斜して向くことになる。交換位置にある回転刃は、ミシン針から離れ、回転刃の面が作業者側に向いており、回転刃の面に接触する可能性のあったミシン針、布押え、上送り等が存在しないので、どこにも接触することなく、回転軸から簡単に抜き出して取り外すことができる。このように、本願発明に係るミシンの被縫製物切断装置は、回転刃を切断位置から交換位置に移動させることができ、回転刃の交換スペースを確保でき、誰でも簡単に回転刃の交換を行うことができるという効果がある。
【００１５】
本願発明に係るミシンの被縫製物切断装置は、前記連結手段がベッド部と略平行方向で回動するように固定枠に回動可能に取り付けられた連結体である。当該連結体には、前記可動枠の一方側が回動可能に取り付けられ、可動枠の他方側の回転刃が上下方向に移動できるように構成されている。
【００１６】
本願発明に係るミシンの被縫製物切断装置は、回転刃の切断位置において、回転刃の面がベッド部の長手方向側（ミシン針側）に向いているので、回転軸から回転刃を抜き出して取り外そうとしても、回転刃の面がミシン針に接触し、回転軸から外すことが難しい。本願発明に係るミシンの被縫製物切断装置は、連結体に対して可動枠を回動させ、可動枠の他方側の回転刃を上方に移動させてミシン針から回転刃を離間させる。次に、固定枠に対して連結体を回動させると、回転刃がミシン針から水平方向で離れ、且つ、回転刃の面がベッド部の長手方向と略直交する方向側に傾斜して向くことになる。このように、ミシン針から離れ、回転刃の面が作業者側に向いており、回転刃の面に接触するミシン針、布押え、上送り等のミシンの部位が存在しないので、どこにも接触することなく、回転刃を回転軸から簡単に抜き出して取り外すことができる。このように、本願発明に係るミシンの被縫製物切断装置は、回転刃を無理なく安全に切断位置から交換位置に移動させることができるという効果がある。
【００１７】
本願発明に係るミシンの被縫製物切断装置は、前記動力伝達部が、第１の連結軸と第１の連結軸に屈曲自在に連結された第２の連結軸とからなる。第１の連結軸は駆動軸に連結され、第２の連結軸は伝達軸に連結される。第１の連結軸と第２の連結軸の屈曲部は、連結手段の回動中心に略一致するように構成されている。本願発明に係るミシンの被縫製物切断装置は、連結手段の回動中心と動力伝達部の屈曲部が略一致しているので、連結手段を回動すると、動力伝達部が無理なくスムーズに屈曲し、動力伝達部に加わる負担が少なく、壊れ難いという効果がある。
【００１８】
本願発明に係るミシンの被縫製物切断装置は、前記連結手段に、回転刃を駆動する駆動手段をオン・オフするスイッチ手段が設けられている。スイッチ手段は、回転刃が切断位置にあるとオンとなり、回転刃が非切断位置にあるとオフとなる。このように、本願発明に係るミシンの被縫製物切断装置は、切断位置ではスイッチ手段がオンとなって回転刃が回転するが、非切断位置では回転刃は回転しないので、安心して回転刃を交換することができるという効果がある。
【００１９】
本願発明に係るミシンの被縫製物切断装置は、連結手段に、回転刃を切断位置で位置決めする第１の位置決め手段と、回転刃を交換位置で位置決めする第２の位置決め手段と、回転刃を駆動する駆動手段をオン・オフするスイッチ手段とを有する。前記スイッチ手段は、第１の位置決め手段に設けられ、第１の位置決め手段が回転刃を位置決めするとオンとなり、第１の位置決め手段が回転刃を位置決めしていないとオフとなるように構成されている。
【００２０】
本願発明に係るミシンの被縫製物切断装置は、回転刃を切断位置で第１の位置決め手段により位置決めするとスイッチ手段がオンとなり、駆動手段を作動すると、回転刃が回転して、被縫製物を切断する。駆動手段を停止すると、回転刃の回転が止まる。第１の位置決め手段の位置決めを解除すると、スイッチ手段がオフとなり、駆動手段を作動させようとしても、回転刃は回転しない。
【００２１】
本願発明に係るミシンの被縫製物切断装置は、回転刃を交換位置で第２の位置決め手段により位置決めしてもスイッチ手段はオフ状態であり、回転刃が回転不能になっているので、回転刃を安全に交換することができる。また回転刃は、位置決めされているので、安定しており、交換作業を簡単且つ容易に行うことができる。このように、本願発明に係るミシンの被縫製物切断装置は、回転刃を切断位置と交換位置で位置決めすることができ、交換位置で位置決めされた時に回転刃が回転不能になるので、安全性が高いという効果がある。
【００２２】
本願発明に係るミシンの被縫製物切断装置は、前記連結手段が、回転刃の切断位置から回転刃の交換位置に移動でき、さらに回転刃の交換位置から回転刃の待機位置に移動できるように、固定枠に可動枠を回動可能に連結している。本願発明に係るミシンの被縫製物切断装置は、回転刃の切断位置において被縫製物の切断作業を行うことができ、回転刃の交換位置において回転刃を簡単且つ容易に交換でき、回転刃の待機位置において回転刃の存在が邪魔にならずに縫製作業を行うことができるという効果がある。
【図面の簡単な説明】
【００２３】
【図１】本願発明に係るミシンの被縫製物切断装置の一つの実施の形態を示す全体正面図である。
【図２】図１のミシンの被縫製物切断装置を上から視た平面図である。
【図３】図１のミシンの被縫製物切断装置を側面から視た側面図である。
【図４】図３のミシンの被縫製物切断装置を裏側から視た側面図である。
【図５】ミシンの一部を省略した図３の側面図である。
【図６】図３のミシンの被縫製物切断装置の動きを説明する側面図である。
【図７】図６のミシンの被縫製物切断装置を裏側から視た側面図である。
【図８】図２のミシンの被縫製物切断装置の動きを説明する平面図である。
【図９】図２のミシンの被縫製物切断装置の動きを説明する平面図である。
【図１０】図９のミシンの被縫製物切断装置の動きを説明する平面図である。
【図１１】図９のミシンの被縫製物切断装置を後から視た背面図である。
【発明を実施するための形態】
【００２４】
本願発明に係るミシンの被縫製物切断装置の全体構成について説明する。ミシンの被縫製物切断装置２１は、図１乃至３に示すように、ミシン１のベッド部２上の被縫製物を切断する回転刃６１を有する。ミシンの被縫製物切断装置２１は、ミシン本体１０に固定して取り付けられる固定枠２２と、固定枠２２に連結手段４１を介して取り付けられた可動枠５１とからなる。前記可動枠５１は、これの一方側に設けられた伝達軸５５と、これの他方側に設けられた回転軸５６と、伝達軸５５の回転を回転軸５６に伝達する伝達手段５７と、回転軸５６に固定された前記回転刃６１とを有する。
【００２５】
前記固定枠２２には、駆動手段３１によって駆動する駆動軸３２と、駆動軸３２の動力を前記伝達軸５５に伝達する動力伝達部８０が設けられている。前記連結手段４１は、回転刃６１の面がベッド部２の長手方向側に向く回転刃６１の切断位置（図２参照）から、回転刃６１の面がベッド部２の長手方向と略直交する方向側に傾斜する回転刃６１の交換位置（図８参照）に移動できるように、固定枠２２に可動枠５１を回動可能に連結している。
【００２６】
ミシンの被縫製物切断装置２１は、駆動手段３１を作動すると、固定枠２２側の駆動軸３２が駆動し、駆動軸３２の動力が動力伝達部８０を介して、可動枠５１側の伝達軸５５に伝達され、伝達軸５５が回転する。伝達軸５５が回転すると伝達手段５７によって回転軸５６が回転し、回転軸５６に固定された回転刃６１も回転する。回転刃６１は、可動枠５１に設けられた固定刃６４又はミシン１のベッド部２側に形成された固定刃と協働してベッド部２上の被縫製物を切断する。駆動手段３１を停止すると、伝達軸５５、回転軸５６及び回転刃６１の回転が止まる。回転刃６１は、ミシン針１９の近傍に位置しており、ミシン針１９の縫製方向と略直交する方向側（ベッド部２の長手方向側）に回転刃６１の面が向いている。切断位置にある回転刃６１は、回転刃６１の面がミシン針１９側に向いており、回転軸５６から抜き出して取り外そうとしても、回転刃６１の面がミシン針１９、布押え１６、上送り１８等に接触し、回転軸５６から外すことができない。
【００２７】
ミシンの被縫製物切断装置２１は、連結手段４１により、固定枠２２に対して可動枠５１を回動すると、回転刃６１が切断位置から交換位置に移動し、図８に示すように、回転刃６１の面がベッド部２の長手方向と略直交する方向側に傾斜して向くことになる。交換位置にある回転刃６１は、ミシン針１９から離れ、回転刃６１の面が作業者側に向いており、回転刃６１の面に接触する可能性のあったミシン針１９、布押え１６、上送り１８等が存在しないので、どこにも接触することなく、回転軸５６から簡単に抜き出して取り外すことができる。このように、ミシンの被縫製物切断装置２１は、回転刃６１を切断位置から交換位置に移動させることができ、回転刃６１の交換スペースを確保でき、誰でも簡単に回転刃６１の交換を行うことができる。
【００２８】
ミシンの被縫製物切断装置２１は、前記連結手段４１がベッド部２と略平行方向で回動するように固定枠２２に回動可能に取り付けられた連結体である。当該連結体４１には、前記可動枠５１の一方側が回動可能に取り付けられ、可動枠５１の他方側の回転刃６１が上下方向に移動できるように構成されている。
【００２９】
ミシンの被縫製物切断装置２１は、回転刃６１の切断位置において、回転刃６１の面がベッド部２の長手方向側（ミシン針１９側）に向いているので、回転軸５６から回転刃６１を抜き出して取り外そうとしても、回転刃６１の面がミシン針１９に接触し、回転軸５６から外すことが難しい。ミシンの被縫製物切断装置２１は、図６，７に示すように、連結体４１に対して可動枠５１を回動させ、可動枠５１の他方側の回転刃６１を上方に移動させてミシン針１９から回転刃６１を離間させる。次に、図８に示すように、固定枠２２に対して連結体４１を回動させると、回転刃６１がミシン針１９から水平方向で離れ、且つ、回転刃６１の面がベッド部２の長手方向と略直交する方向側に傾斜して向くことになる。
【００３０】
このように、ミシン針１９から離れ、回転刃６１の面が作業者側に向いており、回転刃６１の面に接触するミシン針１９、布押え１６、上送り１８等のミシン１の部位が存在しないので、どこにも接触することなく、回転刃６１を回転軸５６から簡単に抜き出して取り外すことができる。このように、ミシンの被縫製物切断装置２１は、回転刃６１を無理なく安全に切断位置から交換位置に移動させることができる。
【００３１】
ミシンの被縫製物切断装置２１は、図１，１０に示すように、前記動力伝達部８０が、第１の連結軸８１と第１の連結軸８１に屈曲自在に連結された第２の連結軸８６とからなる。第１の連結軸８１は駆動軸３２に連結され、第２の連結軸８６は伝達軸５５に連結される。第１の連結軸８１と第２の連結軸８６の屈曲部８４は、連結手段４１の回動中心４６に略一致するように構成されている。ミシンの被縫製物切断装置２１は、連結手段４１の回動中心４６と動力伝達部８０の屈曲部８４が略一致しているので、連結手段４１を回動すると、動力伝達部８０が無理なくスムーズに屈曲し、動力伝達部８０に加わる負担が少なく、壊れ難い。
【００３２】
ミシンの被縫製物切断装置２１は、図１に示すように、前記連結手段４１に、回転刃６１を駆動する駆動手段３１をオン・オフするスイッチ手段７５が設けられている。スイッチ手段７５は、回転刃６１が切断位置にあるとオンとなり、回転刃６１が非切断位置にあるとオフとなる。このように、ミシンの被縫製物切断装置２１は、切断位置ではスイッチ手段７５がオンとなって回転刃６１が回転するが、非切断位置では回転刃６１は回転しないので、安心して回転刃６１を交換することができる。
【００３３】
ミシンの被縫製物切断装置２１は、図３，４に示すように、連結手段４１に、回転刃６１を切断位置で位置決めする第１の位置決め手段７１と、回転刃６１を交換位置で位置決めする第２の位置決め手段７２と、回転刃６１を駆動する駆動手段３１をオン・オフするスイッチ手段７５とを有する。前記スイッチ手段７５は、第１の位置決め手段７１に設けられ、第１の位置決め手段７１が回転刃６１を位置決めするとオンとなり、第１の位置決め手段７１が回転刃６１を位置決めしていないとオフとなるように構成されている。
【００３４】
ミシンの被縫製物切断装置２１は、回転刃６１を切断位置で第１の位置決め手段７１により位置決めするとスイッチ手段７５がオンとなり、駆動手段３１を作動すると、回転刃６１が回転して、被縫製物を切断する。駆動手段３１を停止すると、回転刃６１の回転が止まる。第１の位置決め手段７１の位置決めを解除すると、スイッチ手段７５がオフとなり、駆動手段３１を作動させようとしても、回転刃６１は回転しない。ミシンの被縫製物切断装置２１は、連結手段４１により、固定枠２２に対して可動枠５１を回動すると、回転刃６１が切断位置から交換位置に移動する。
【００３５】
ミシンの被縫製物切断装置２１は、図６に示すように、回転刃６１を交換位置で第２の位置決め手段７２により位置決めしてもスイッチ手段７５はオフ状態であり、回転刃６１が回転不能になっているので、回転刃６１を安全に交換することができる。また回転刃６１は、位置決めされているので、安定しており、交換作業が簡単且つ容易に行うことができる。このように、ミシンの被縫製物切断装置２１は、回転刃６１を切断位置と交換位置で位置決めすることができ、交換位置で位置決めされた時に回転刃６１が回転不能になるので、安全性が高い。
【００３６】
ミシンの被縫製物切断装置２１は、前記連結手段４１が、回転刃６１の切断位置（図２参照）から回転刃６１の交換位置（図８参照）に移動でき、さらに回転刃６１の交換位置から回転刃６１の待機位置（図９参照）に移動できるように、固定枠２２に可動枠５１を回動可能に連結している。ミシンの被縫製物切断装置２１は、回転刃６１の切断位置において被縫製物の切断作業を行うことができ、回転刃６１の交換位置において回転刃６１を簡単且つ容易に交換でき、回転刃６１の待機位置において回転刃６１の存在が邪魔にならずに縫製作業を行うことができる。
【００３７】
さらに、ミシンの被縫製物切断装置について詳細に説明する。一般的なミシンの全体構成について、図１，３に基づいて説明する。ミシン１は、ベッド部２のテーブル２ａ上にミシン本体１０が載置され、ベッド部２の下部にミシン駆動用ペダルが取付けられている。また、ミシン本体１０のミシンヘッド１１の下部には、針棒１２が垂直且つ昇降可能に取付けられている。この針棒１２の下端部には、ミシン針１９が取り付けられている。また針棒１２の側部には垂直に押え棒１５が配置され、この押え棒１５の先端部に布押え１６が取付けられている。
【００３８】
また押え棒１５の側部には上送り棒１７が取付けられ、この上送り棒１７に上送り１８が固着されている。針棒１２と上送り棒１７は、ミシンヘッド１１に昇降及び揺動可能にそれぞれ配置されている。また、押え棒１５は、ミシンヘッド１１に上下運動可能に配置されている。針棒１２の直下のベッド部２のテーブル２ａの位置には、被縫製物の移動面に沿う針板が配置されている。さらに、針板の下側であって、ベッド部２の内部に下送りと回転釜が取付けられている。当該ミシン１は、針棒１２に取り付けられるミシン針１９と前記回転釜により、布、皮革等の被縫製物に本縫いを行う。
【００３９】
図１に示すように、ミシン本体１０の正面側（作業者の作業位置とは反対側）の位置には、切断装置２１が取り付けられている。この切断装置２１は、ミシン針１９と回転釜とによる縫製動作に連動又は独立して、布、皮革等の被縫製物を切断するようになっている。切断装置２１は、ミシン本体１０の正面にネジ等により固定して取り付けられる固定枠２２と、固定枠２２に連結手段４１を介して取り付けられた可動枠５１とからなる。なお、本実施の形態では、ミシン本体１０の正面側に設けられたアクチュエータ３５にも固定枠２２がネジ等により固定して取り付けられている。
【００４０】
図１，２に示すように、固定枠２２は、ミシン本体１０の正面側にネジ等によって固定される取付板２３と、取付板２３にネジ等によって固定される固定板２５と、固定板２５にネジ等によって固定される基板２７と、基板２７に一体に設けられたモータ取付板２８とを有する。取付板２３は、ネジ２４，２４によりミシン本体１０の長手方向と略直角の方向に略垂直に固定される。固定板２５は、前部に連結片２６が一体で固定され、当該連結片２６が取付板２３の下部面に接合されネジ止めされて、略水平に固定されている。
【００４１】
基板２７は、固定板２５の下面に接合されネジ止めされて、固定板２５に略水平に固定されている。基板２７の下面には、基板２７と略直角の方向にモータ取付板２８が一体的に設けられている。モータ取付板２８には、駆動モータ３１がネジ等により固定されている。駆動モータ３１の駆動軸３２は、モータ取付板２８から略水平状態で前方に突出している。駆動軸３２は、ミシン本体１０の長手方向と略平行であり、ミシン針１９側の前方（図１の右方）に突出している。
【００４２】
基板２７には、連結手段４１が設けられている。連結手段４１は、中心軸４６によって基板２７に水平方向に回動可能に取り付けられた回動板４２と、回動板４２の後方に設けられた後部ブロック４３と、回動板４２の前方に設けられた前部ブロック４５と、傾斜取付板４８を有する。後部ブロック４３には、位置決めボルト４４が設けられている。位置決めボルト４４は、図９に示すように、前記基板２７に形成された第１の位置決めネジ穴２９又は第２の位置決めネジ穴３０に螺合する。第１の位置決めネジ穴２９及び第２の位置決めネジ穴３０は、前記中心軸４６を中心とした円周上に配置されている。
【００４３】
図１に示すように、前部ブロック４５は、前面４７が傾斜している。前部ブロック４５の前面４７は、下縁から上縁に向かって、前部ブロック４５の厚みが薄くなるように傾斜しており、下端縁が前方に突出し、上端縁が後方に引っ込んでいる。この前部ブロック４５の前面４７には、前記傾斜取付板４８が接合してネジによって固定されている。傾斜取付板４８は、前部ブロック４５の前面４７と同様に、下部が前方に突出し、上部が後方に引っ込んだ傾斜状態となっている。
【００４４】
図２に示すように、可動枠５１には、巻掛け伝動手段が設けられている。可動枠５１は、前側板５２と、後側板５３と、前側板５２と後側板５３を連結固定する固定軸によって形成されている。可動枠５１は、下部に回転軸５６が回動可能に取り付けられ、上部に伝達軸５５が回動可能に取り付けられている。上部の伝達軸５５と下部の回転軸５６には、ベルト５７が巻き掛けられ、伝達軸５５の回転がベルト５７を介して回転軸５６に伝達される。
【００４５】
このように、伝達軸５５と回転軸５６とベルト５７によって巻掛け伝動手段を構成しているが、伝達軸５５及び回転軸５６にプーリを固着し、この一対のプーリにベルトを巻き掛けた巻掛け伝動手段であっても構わないのは勿論である。なお、伝達軸５５の回転を回転軸５６に伝達する伝達手段は、巻掛け伝動手段に限定されるものではなく、歯車群等の種々の技術手段を採用しても構わないのは勿論である。図１に示すように、回転軸５６は、前側板５２から突出し、この回転軸５６の突出部に回転刃６１が固定して取り付けられている。図３に示すように、前側板５２には、この回転刃６１の上部を覆うカバー体６２がネジ等に取り付けられている。カバー体６２には、回転刃６１と協働してベッド部２上の被縫製物を切断する固定刃６４が取り付けられている。
【００４６】
図１に示すように、可動枠５１は、前記傾斜取付板４８に回動可能に取り付けられている。後側板５３の上部は、延設されて連結板５８が形成されている。図３に示すように、連結板５８は、傾斜取付板４８に連結ネジ６３を介して回動可能に連結され、傾斜取付板４８に摺接する。傾斜取付板４８には、連結ネジ６３を案内する円弧状の案内溝４９が形成されている。案内溝４９は、伝達軸５５を中心とした円弧状に形成されている。連結板５８には、ブロック片６５がネジ６７等により取り付けられている。ブロック片６５には、位置決めボルト６６が設けられている。位置決めボルト６６は、図５に示すように、前記傾斜取付板４８に形成された第１の位置決めネジ穴７１又は第２の位置決めネジ穴７２に螺合する。第１の位置決めネジ穴７１及び第２の位置決めネジ穴７２は、前記伝達軸５５を中心とした円周上に配置されている。
【００４７】
図１に示すように、可動枠５１は、位置決めボルト６６を第１の位置決めネジ穴７１にねじ込んで位置決めされると、回転刃６１がベッド部２上に載置された被縫製物を切断することが可能な位置に配置される。可動枠５１は、位置決めボルト６６を第２の位置決めネジ穴７２にねじ込んで位置決めされると、図６，７に示すように、回転刃６１が上方に移動して被縫製物から離れる。図１に示すように、傾斜取付板４８には、位置決めボルト６６を第１の位置決めネジ穴７１にねじ込むと、位置決めボルト６６の先端に押圧されてオンとなるスイッチ７５が設けられている。
【００４８】
図１，１０に示すように、可動枠５１の伝達軸５５と駆動モータ３１の駆動軸３２は、ユニバーサルジョイント８０で連結されている。ユニバーサルジョイント８０は、第１の連結軸８１と第１の連結軸８１に屈曲自在に連結された第２の連結軸８６とからなる。第１の連結軸８１は、一方に前記駆動モータ３１の駆動軸３２を取り付ける軸本体部８２と、軸本体部８２の他方に形成された略コ字状の軸受け部８３と、軸受け部８３内に第１の支軸８４によって回動可能に取り付けられた駒体８５とからなる。
【００４９】
第２の連結軸８６は、一方に前記伝達軸５５を取り付ける軸本体部８７と、軸本体部８７の他方に形成された略コ字状の軸受け部８８からなり、前記軸受け部８８内に前記駒体８５が第２の支軸８９によって回動可能に連結されている。このユニバーサルジョイント８０の屈曲部、即ち第１の支軸８４の位置と、連結手段４１の回転中心、即ち中心軸４６の位置は略一致している。
【００５０】
なお、本実施の形態では、回転刃６１との協働によって被縫製物を切断する固定刃６４がカバー体６２に設けられているが、固定刃がミシン１のベッド部２上に設けた針板に形成されていても良い。係る場合、回転刃６１と固定刃によって構成される切断点は、作業者側から見て上送り１８の作業者側で、ミシン針１９の針落ち点より一定距離となる位置に配置できるように構成される。このようにして被縫製物切断装置２１はミシン本体１０に取り付けられている。図示しないが、ミシン１には、電源スイッチと、ミシン駆動用ペダルと、ミシン駆動用モータコントローラが設けられている。
【００５１】
以上の構成において以下のように使用することができる。ミシン本体１０に取り付けた被縫製物切断装置２１は、回転刃６１を切断位置、交換位置、待機位置に移動させることができる。回転刃６１の切断位置は、図１乃至３に示すように、位置決めボルト４４が基板２７に形成された第１の位置決めネジ穴２９に螺合され、位置決めボルト６６が傾斜取付板４８に形成された第１の位置決めネジ穴７１に螺合された位置である。又、連結ネジ６３が案内溝４９の上端部の位置で螺着されている位置である。
【００５２】
回転刃６１の交換位置は、図６乃至８に示すように、可動枠５１が伝達軸５５を中心として回動し、位置決めボルト４４が基板２７に形成された第２の位置決めネジ穴３０に螺合され、位置決めボルト６６が傾斜取付板４８に形成された第２の位置決めネジ穴７２に螺合された位置である。又、連結ネジ６３が案内溝４９の下端部の位置で螺着されている位置である。回転刃６１の待機位置は、図９乃至１１に示すように、位置決めボルト４４が基板２７から離れて螺合されず、回動板４２が自由状態であり、位置決めボルト６６が傾斜取付板４８に形成された第２の位置決めネジ穴７２に螺合された位置である。
【００５３】
前記した回転刃６１の切断位置では、図２に示すように、回動板４２がベッド部２の長手方向と略平行になっている。図１に示すように、可動枠５１は、傾斜取付板４８に接合しているので、ミシン針１９側に向かって傾斜し、回転刃６１が斜めに傾いた状態となっている。このように、回転刃６１は、この切断位置で位置決めボルト４４，６６によって位置決めされる。
【００５４】
傾斜取付板４８には、第１の位置決めネジ穴７１の位置にスイッチ７５が設けられている。スイッチ７５は、位置決めボルト６６を第１の位置決めネジ穴７１にねじ込むと、位置決めボルト６６の先端により押圧されてオン状態となっている。回転刃６１は、ミシン針１９の近傍に位置しており、ミシン針１９の縫製方向と略直交する方向側（ベッド部の長手方向側）に回転刃６１の面が向いている。切断位置にある回転刃６１は、回転刃６１の面がミシン針１９側に向いており、回転軸５６から抜き出して取り外そうとしても、回転刃６１の面がミシン針１９、布押さえ１６及び上送り１８に接触し、回転軸５６から外すことができない。
【００５５】
回転刃６１が切断位置で位置決めされている状態で、ミシン駆動用ペダルを操作すると、ミシン駆動用モータコントローラによって、ミシン１が駆動され、図示しない被縫製物に縫製作業を開始する。スイッチ７５がオンとなっているので、これと同時にミシン駆動用モータコントローラから、電力が駆動モータ３１に流れ、駆動モータ３１が回転駆動される。駆動モータ３１の駆動軸３２の回転が、ユニバーサルジョイント８０、伝達軸５５、ベルト５７、回転軸５６に伝達され、回転軸５６に固定された回転刃６１が回転する。これによって、ミシン１の駆動と同時に回転刃６１が回転運動し、固定刃６４と協働して切断点において被縫製物を縫製と同時に切断することになる。
【００５６】
回転刃６１の交換位置は、連結ネジ６３を緩め、位置決めボルト６６を傾斜取付板４８に形成された第１の位置決めネジ穴７１から外し、図６，７に示すように、伝達軸５５を中心として可動枠５１の下部を上方に回動させて回転刃６１を被縫製物から斜め上方に離間させ、次に、連結ネジ６３を案内溝４９の下端部の位置で螺着し、位置決めボルト６６を傾斜取付板４８に形成された第２の位置決めネジ穴７２に螺合して位置決めした位置である。図８に示すように、位置決めボルト４４を基板２７に形成された第１の位置決めネジ穴２９から外し、回動板４２をベッド部２の長手方向に対して傾働させると、回動板４２に固定された可動枠５１が中心軸４６を中心として回動し、回転刃６１の面がベッド部２の長手方向に対して傾斜する方向に向くことになる。次に、位置決めボルト４４を基板２７に形成された第２の位置決めネジ穴３０に螺合して位置決めする。このようにして、可動枠５１は、固定枠２２に固定される。
【００５７】
回転刃６１の交換位置は、位置決めボルト６６が傾斜取付板４８に形成された第２の位置決めネジ穴７２に螺合し、位置決めボルト４４が基板２７に形成された第２の位置決めネジ穴３０に螺合して位置決めされた位置である、この交換位置にある回転刃６１は、ミシン針１９、布押さえ１６及び上送り１８から離れ、回転刃６１の面に接触するミシン１の部位が存在しないので、どこにも接触することなく、回転軸５６から簡単に抜き出して取り外すことができる。回転刃６１は、位置決めボルト６６が第１の位置決めネジ穴７１にねじ込まれていないので、スイッチ７５がオフ状態となっており、駆動モータ３１が駆動せず回転しない。従って、回転刃６１は、安全に取り外すことができる。回転刃６１が交換位置にある場合、ミシン１は、縫製作業を行うことができる。しかし、回転刃６１の交換し易い位置は、ベッド部２の直上の位置であるため、縫製作業の邪魔になる。そこで、回転刃６１を縫製作業の邪魔にならない待機位置に移動させることもできる。
【００５８】
回転刃６１の待機位置は、位置決めボルト６６を傾斜取付板４８に形成された第２の位置決めネジ穴７２に螺合させた状態で、位置決めボルト４４を基板２７に形成された第２の位置決めネジ穴３０から外し、回動板４２をベッド部２の長手方向に対して大きく傾働させた位置であり、図９，１０に示すように、回動板４２に固定された可動枠５１が中心軸４６を中心として回動して、ミシン本体１０の長手方向と略平行となる位置である。
【００５９】
この待機位置にある回転刃６１は、図１１に示すように、ミシン針１９、布押さえ１６及び上送り１８から離れ、ベッド部２の上方位置しており、ミシン１の縫製作業の邪魔にはならない。回転刃６１は、位置決めボルト６６が第１の位置決めネジ穴７１にねじ込まれていないので、スイッチ７５がオフ状態となっており、駆動モータ３１に電流が流れることがなく、駆動せず回転しない。従って、縫製作業は、安全に行うことができる。
【００６０】
以上、本願発明を図示の実施の形態によって説明したが、本願発明は上記実施の形態によって限定されることなく、本願発明の技術的思想の範囲内において各種の変更が可能である。例えば上記実施の形態においては、回転刃６１の駆動のための伝導手段として、ベルト５７を用いているが、ベルト５７に代えて歯車列を用いて駆動してもよい。
【００６１】
被縫製物切断装置２１は、ミシン針１９の近傍に回転刃６１の切断位置を設定配置できるので、縫い品質を維持したまま、いかなる被縫製物の形状においても、縫製と略同時に又は独立して縫製ラインから均一の幅で任意の位置から被縫製物を切断でき、被縫製物の品質及び生産性を向上させることが可能になる。また被縫製物切断装置２１は、ミシン本体１０と別体で構成しており、既存のミシンに後から追加することによって、被縫製物切断機能付きミシンを提供でき、ミシン本体１０のコストを削減することが可能である。しかし、被縫製物切断装置２１は、ミシン本体１０に組み込んだ形で一体化した構成にしても良い。
【産業上の利用可能性】
【００６２】
本願発明は、ミシンに装着でき、縫製と略同時又は縫製と独立して被縫製物を切断する被縫製物切断装置として広く利用可能である。
【符号の説明】
【００６３】
１  ミシン
２  ベッド部
２ａ  テーブル
１０  ミシン本体
１１  ミシンヘッド
１２  針棒
１５  押え棒
１６  布押え
１７  上送り棒
１８  上送り
１９  ミシン針
２１  切断装置
２２  固定枠
２３  取付板
２４  ネジ
２５  固定板
２６  連結片
２７  基板
２８  モータ取付板
２９  第１の位置決めネジ穴
３０  第２の位置決めネジ穴
３１  駆動モータ（駆動手段）
３２  駆動軸
３５  アクチュエータ
４１  連結手段（連結体）
４２  回動板
４３  後部ブロック
４４  位置決めボルト
４５  前部ブロック
４６  中心軸
４７  前面
４８  傾斜取付板
４９  案内溝
５１  可動枠
５２  前側板
５３  後側板
５５  伝達軸
５６  回転軸
５７  ベルト（伝達手段）
５８  連結板
６１  回転刃
６２  カバー体
６３  連結ネジ
６４  固定刃
６５  ブロック片
６６  位置決めボルト
６７  ネジ
７１  第１の位置決めネジ穴（第１の位置決め手段）
７２  第２の位置決めネジ穴（第２の位置決め手段）
７５  スイッチ（スイッチ手段）
８０  ユニバーサルジョイント（動力伝達部）
８１  第１の連結軸
８２  軸本体部
８３  軸受け部
８４  第１の支軸
８５  駒体
８６  第２の連結軸
８７  軸本体部
８８  軸受け部
８９  第２の支軸
【図１】
0006584964.tif 000002
【図２】
0006584964.tif 000003
【図３】
0006584964.tif 000004
【図４】
0006584964.tif 000005
【図５】
0006584964.tif 000006
【図６】
0006584964.tif 000007
【図７】
0006584964.tif 000008
【図８】
0006584964.tif 000009
【図９】
0006584964.tif 000010
【図１０】
0006584964.tif 000011
【図１１】
0006584964.tif 000012